(57)【要約】 【課題】  ユーザに負担をかけることなく、効率的に広告情報を配布可能な情報提供技術を提供する。【解決手段】  受信したコンテンツデータ及び当該コンテンツデータに関連する広告データと、当該受信したコンテンツデータのリストと、を記録するメモリ２６と、他の携帯通信端末との間で非公衆無線回線を通じて接続可能な非公衆無線回線通信部３４と、非公衆無線回線通信部３４を介して、他の携帯通信端末との間で接続が確立されたとき、当該他の携帯通信端末に保存されたコンテンツデータのリストを受信し、受信したコンテンツデータのリストと、前記メモリに記録されたコンテンツデータのリストとを照合し、少なくとも１つのコンテンツデータが一致するとき、当該他の携帯通信端末から広告データを受信するよう制御するＣＰＵ２２と、を備える。【選択図】  図２
2009181326.tif 000002
【特許請求の範囲】
【請求項１】
コンテンツデータと、当該コンテンツデータに関連する広告データとを提供するコンテンツサーバに接続し、当該コンテンツデータ及び広告データを受信する携帯通信端末であって、
受信したコンテンツデータ及び当該コンテンツデータに関連する広告データと、当該受信したコンテンツデータのリストと、を記録するメモリと、
他の携帯通信端末との間で非公衆無線回線を通じて接続可能な非公衆無線回線通信部と、
前記非公衆無線回線通信部を介して、他の携帯通信端末との間で接続が確立されたとき、当該他の携帯通信端末に保存されたコンテンツデータのリストを受信し、受信したコンテンツデータのリストと、前記メモリに記録されたコンテンツデータのリストとを照合し、少なくとも１つのコンテンツデータが一致するとき、当該他の携帯通信端末から広告データを受信するよう制御する制御部と、
を備える、ことを特徴とする携帯通信端末。
【請求項２】
他の携帯通信端末との間で接続が確立されたとき、前記メモリに記録されたコンテンツデータのリストを、当該他の携帯通信端末に送出する、ことを特徴とする請求項1に記載の携帯通信端末。
【請求項３】
コンテンツデータと、当該コンテンツデータに関連する広告データとを提供するコンテンツサーバに接続し、当該コンテンツデータ及び広告データを受信する携帯通信端末における情報処理方法であって、
受信したコンテンツデータ及び当該コンテンツデータに関連する広告データと、当該受信したコンテンツデータのリストと、を記録し、
他の携帯通信端末との間で非公衆無線回線を介した接続を確立し、
当該他の携帯通信端末に保存されたコンテンツデータのリストを受信し、
受信したコンテンツデータのリストと、前記記録したコンテンツデータのリストとを照合し、
少なくとも１つのコンテンツデータが一致するとき、当該他の携帯通信端末から広告データを受信する
ことを備える、ことを特徴とする情報処理方法。
【請求項４】
他の携帯通信端末との間で接続が確立されたとき、前記メモリに記録されたコンテンツデータのリストを、当該他の携帯通信端末に送出する、ことを特徴とする請求項３に記載の情報処理方法。
【発明の詳細な説明】
【技術分野】
【０００１】
本発明は、効率的に広告情報を配布可能な情報提供技術に関する。
【背景技術】
【０００２】
近年、通信網の発達により、様々な情報サービスが提供されている。例えば、音楽配信サービスにおいて、公衆無線回線を利用した配信システムがある（例えば、特許文献１、２参照）。このシステムでは、コンテンツサーバは、基地局を通じて端末に楽曲リストを送信する。端末使用者は、端末の表示装置に表示される楽曲リストを見て、所望の音楽を選択する。選択された楽曲を示す情報が、端末から基地局を通じてコンテンツサーバに送信される。コンテンツサーバは、選択情報に従って楽曲データを端末に送信する。その結果、使用者は、端末に蓄積された音楽データを再生して、その楽曲を聴くことができる。送信された楽曲データに対する課金は、基地局を通じて公衆回線の利用料に加算されて徴収される。また、特許文献１等においては、配信データに広告を添付することにより配信料金が減額される。
【０００３】
一方、配信サービスの発展・拡大のためには、広告の無料提供が効果的である。しかし、広告情報を公衆回線で提供する場合、通信回線使用料が発生することなどから、サービス提供者にとっては積極的には行いづらい。
【０００４】
そこで、広告等の情報を、携帯電話等の情報端末間で伝達するシステムがある（特許文献３参照）。このシステムでは、情報提供装置が情報端末へ情報を伝達し、情報端末同士が近距離無線通信等により情報を伝達し、情報伝達された情報端末が伝達された情報に基づいて情報処理装置に接続し、広告等の情報にアクセスする。情報端末間の情報伝達は、利用者に意思に基づいて行われる。
【０００５】
【特許文献１】特開２００２−０４１０５４号公報
【特許文献２】特開２００３−３３７５８９号公報
【特許文献３】特開２００４−１０２５５７号公報
【発明の開示】
【発明が解決しようとする課題】
【０００６】
しかし、情報端末間で直接情報を伝達できる上記システムであっても、情報（インターネットアドレス等）を受け取ったユーザが広告等の情報にアクセスするには、公衆回線を使用することとなり、ユーザの金銭的負担は避けられない。また、ユーザ間で、一方の要求に応じて直接情報を伝達するため、非効率的である。
【０００７】
上記事情を鑑みて、本発明は、ユーザに負担をかけることなく、効率的に広告情報を配布可能な情報提供技術を提供することを目的とする。
【課題を解決するための手段】
【０００８】
上記目的を達成するため、本発明の第１の態様における携帯通信端末は、
コンテンツデータと、当該コンテンツデータに関連する広告データとを提供するコンテンツサーバに接続し、当該コンテンツデータ及び広告データを受信する携帯通信端末であって、
受信したコンテンツデータ及び当該コンテンツデータに関連する広告データと、当該受信したコンテンツデータのリストと、を記録するメモリと、
他の携帯通信端末との間で非公衆無線回線を通じて接続可能な非公衆無線回線通信部と、
前記非公衆無線回線通信部を介して、他の携帯通信端末との間で接続が確立されたとき、当該他の携帯通信端末に保存されたコンテンツデータのリストを受信し、受信したコンテンツデータのリストと、前記メモリに記録されたコンテンツデータのリストとを照合し、少なくとも１つのコンテンツデータが一致するとき、当該他の携帯通信端末から広告データを受信するよう制御する制御部と、
を備える。
【０００９】
上記構成において、他の携帯通信端末との間で接続が確立されたとき、前記メモリに記録されたコンテンツデータのリストを、当該他の携帯通信端末に送出してもよい。
【００１０】
上記目的を達成するため、本発明の第２の態様における情報処理方法は、
コンテンツデータと、当該コンテンツデータに関連する広告データとを提供するコンテンツサーバに接続し、当該コンテンツデータ及び広告データを受信する携帯通信端末における情報処理方法であって、
受信したコンテンツデータ及び当該コンテンツデータに関連する広告データと、当該受信したコンテンツデータのリストと、を記録し、
他の携帯通信端末との間で非公衆無線回線を介した接続を確立し、
当該他の携帯通信端末に保存されたコンテンツデータのリストを受信し、
受信したコンテンツデータのリストと、前記記録したコンテンツデータのリストとを照合し、
少なくとも１つのコンテンツデータが一致するとき、当該他の携帯通信端末から広告データを受信する
ことを備える。
【００１１】
上記構成において、他の携帯通信端末との間で接続が確立されたとき、前記メモリに記録されたコンテンツデータのリストを、当該他の携帯通信端末に送出してもよい。
【発明の効果】
【００１２】
本発明によれば、ユーザに負担をかけることなく、効率的に広告情報を配布可能な情報提供技術が提供される。
【発明を実施するための最良の形態】
【００１３】
本発明に係る実施の形態について、以下、図面を参照して詳細に説明する。なお、以下に示す実施の形態は一例であり、これに限定されない。
【００１４】
図１は本発明の実施例にかかる情報提供システムの構成の一例を示すブロック図である。図に示すように、情報提供システムは、コンテンツサーバ１０と、携帯通信端末２０と、がインターネット等の公衆通信回線、基地局を介して接続されて構成される。
【００１５】
コンテンツサーバ１０は、多数の楽曲データ及び広告データを記憶している。コンテンツサーバ１０は、蓄積されている楽曲データをユーザの要求に従いユーザ端末である携帯通信端末２０に送信する。コンテンツ提供者は、コンテンツサーバ１０を用いて有料サービスを行う。
【００１６】
ユーザは、予めコンテンツサーバ１０に利用者としてのアカウントを作成しておく。コンテンツサーバ１０は、ユーザのアクセスに応じて提供可能な楽曲のリストを携帯通信端末２０に送る。ユーザが、リストから所望の楽曲を選択し、コンテンツサーバ１０から楽曲データをダウンロードすると、該ユーザの課金用アカウントに、楽曲データの料金が課金される。
【００１７】
コンテンツサーバ１０には、例えば、ユーザがダウンロード可能なコンテンツデータが保存されている。コンテンツデータは、例えば、ＭＩＤＩ（Musical Instrument Digital Interface）形式の楽曲データであるがこれに限られない。コンテンツデータは、ジャンル、アーティスト等の属性情報が付与されて保存されている。なお、本実施例では、コンテンツサーバ１０はコンテンツとして楽曲データを提供するものとするが、これに限らず、動画データ等であっても良い。コンテンツサーバ１０は、保存されるコンテンツのリストを保存し、ユーザの携帯通信端末２０からの要求により送信する。
【００１８】
また、コンテンツサーバ１０には、広告データが保存される。広告データは、コンテンツに関連するものであり、例えば、新曲のプロモーションのための広告を内容とするテキストデータ、音声データ、画像データ等から構成される。
【００１９】
広告データには、ジャンル、アーティスト等の属性情報が付与され、コンテンツデータのダウンロードの際には、当該コンテンツデータの属性情報と関連性の高い広告データが同時にダウンロードされる。例えば、ポップスの属性情報付されたコンテンツデータのダウンロードに際しては、ポップスの属性情報が付された広告データ、例えば、ポップスの新譜の広告のための広告データがダウンロードされる。勿論、広告データとコンテンツデータの関連づけは任意であり、本例に限られない。
【００２０】
図２は本発明の実施例における携帯通信端末２０の構成を示すブロック図である。携帯通信端末２０は、公衆通信回線に接続可能な通信インタフェースを備えた携帯電話等である。ユーザは、携帯通信端末２０を介してコンテンツサーバ１０にアクセスし、コンテンツデータをダウンロードする。
【００２１】
図２に示す携帯通信端末２０は、ＣＰＵ（Central Processing Unit）２２と、公衆無線回線通信部２４と、メモリ２６と、再生部２８と、入力部３０と、表示部３２と、非公衆無線回線通信部３４と、を備える。
【００２２】
ＣＰＵ２２は、携帯通信端末２０を統括的に制御する。
【００２３】
公衆無線回線通信部２４は、アンテナ２３を備え、公衆無線回線に接続するインタフェースを構成する。公衆無線回線通信部２４から／へのデータは、変復調部２５により変復調される。
【００２４】
メモリ２６は、ダウンロードしたコンテンツデータ、広告データ等を記録する。メモリ２６には、当該メモリ２６内に保存されたコンテンツデータのリストが記録される。メモリ２６には、例えば、予め定められた数或いは容量の最新の広告データが記録される。
【００２５】
また、メモリ２６には、非公衆無線回線通信部３４を介した他の携帯通信端末２０との接続のための専用アプリケーションプログラムが格納されている。専用アプリケーションプログラムは、例えば、コンテンツサーバ１０を運営する事業者によって、その利用者に提供され、公衆無線回線を介した携帯通信端末２０とコンテンツサーバ１０との間のアクセスに用いられても良い。専用アプリケーションは、メモリ２６に記録されたコンテンツのリストを作成する。
【００２６】
再生部２８は、メモリ２６に記憶された画像データや動画データ等からなるコンテンツデータ、広告データを再生する。再生情報は、音声、映像としてユーザに提供される。
【００２７】
入力部３０は、各種コマンドの入力に使用される。ユーザは、この入力部３０を操作することによりコンテンツデータのダウンロード等を操作する。
【００２８】
表示部３２は、入力のためのＧＵＩ（Graphic User Interface）や再生中のコンテンツの情報等、コンテンツデータのダウンロードに関する情報、広告データに基づく表示を表示する。
【００２９】
非公衆無線回線通信部３４は、アンテナ３３を介してＢｌｕｅｔｏｏｔｈ（登録商標）規格等の近距離無線通信回線用インタフェースを構成する。非公衆無線回線通信部３４から／へのデータは、変復調部３５により変復調される。非公衆無線回線通信部３４は、公衆回線を使用しない、近距離にある他の携帯通信端末２０との接続に使用される。
【００３０】
以下、本実施例における携帯通信端末２０における情報処理について説明する。図３に、本実施例に係る情報処理フローを示す。なお、本例では、ユーザが、電源が入った携帯通信端末２０を所持して、多数の人間がいる屋外、例えば、バス、電車等の交通機関の車内にいる場合を例とする。
【００３１】
ユーザが車内にいるとき、携帯通信端末２０は、専用アプリケーションプログラムに従い、非公衆無線回線通信部３４を介して、同様の専用アプリケーションプログラムを備えた他ユーザの携帯通信端末２０を検索する（ステップＳ１１）。他ユーザの携帯通信端末２０との間で非公衆無線回線を介した接続が確立されたとき、ＣＰＵ２２は、接続可能な端末を検出したと判別する。ここで、一定時間以上接続が維持されない場合は、例えば、ユーザ同士が一瞬すれ違った場合などとして、以後の処理は行われないようにしてもよい。
【００３２】
接続可能な端末を検出したと判別したとき（ステップＳ１１；Ｙｅｓ）、ＣＰＵ２２は、他方の携帯通信端末２０に対して、当該他の携帯通信端末２０が有するコンテンツリストを要求する（ステップＳ１２）。一方で、携帯通信端末２０は、他の携帯通信端末２０からコンテンツリストの要求を受け取り、メモリ２６内のコンテンツリストを他の携帯通信端末２０に送出する。このように、アクセス接続が確立された場合には、コンテンツリストを「交換」することとなる。
【００３３】
ＣＰＵ２２は、他方の携帯通信機器から受信したコンテンツリストについて、メモリ２６に記録されたコンテンツリストを読み出して照合する（ステップＳ１３）。照合の結果、重複するコンテンツが存在したとき（ステップＳ１４；Ｙｅｓ）、他の携帯通信端末２０に対し、当該他の携帯通信端末２０が有する広告データを要求する（ステップＳ１５）。ＣＰＵ２２は、他の携帯通信端末２０から送信された広告データを受信し、メモリ２６に記録する（ステップＳ１６）。同時に、携帯通信端末２０は、自己の持つ広告データを他の携帯通信端末２０に送出する。このようにして、広告データの相互受信が終了した後、携帯通信端末２０間の通信が切断される。
【００３４】
ここで、受信した広告データは、メモリ２６に既にある広告データの一部又は全部と置き換えられてもよく、或いは、追加して記録されても良い。
【００３５】
以上のようにして、本実施例における携帯通信端末２０は、近距離にある他の携帯通信端末２０の有するコンテンツがメモリ２６内のコンテンツの少なくとも一部と一致した場合、広告データを他方に要求し、受信する。すなわち、コンテンツが１つでも一致した場合には、ユーザの嗜好が一部一致するものとして、広告データが携帯通信端末２０の間で非公衆無線回線を介して直接受信される。
【００３６】
このように、ユーザ間で、相手の有するコンテンツの中に自分が有するコンテンツがあれば、コンテンツの好みが一致する部分がある場合に、ユーザ間での広告データの直接送受信が行われる。その後ユーザが携帯通信端末２０を利用するとき、自分の好みに一致した、又は、近いコンテンツに関する広告データを閲覧することとなる。一致するコンテンツの数が多ければ、それだけ、嗜好の似たユーザであり、広告データはよりユーザの好みに近いものとなる。
【００３７】
このような処理はユーザが意図しない間に行われるものであり、また、公衆回線を利用しないため、ユーザに手間や金銭的負担を求めるものではない。ユーザは、通学・通勤途中、或いは、飲食店内にて気づかぬ内に広告データを取得する。そして、メモリ２６に蓄積された広告データを再生することにより、希望する場合にはコンテンツサーバ１０にアクセスしてコンテンツを購入することができる。
【００３８】
このシステムによれば、広告データの提供者にとっては、ユーザの嗜好に応じた広告データの効率的な配布が可能であり、ユーザに回線利用による金銭的負担がないため、広告自体が嫌がられることなく、高い訴求度、効果が得られる。
【図面の簡単な説明】
【００３９】
【図１】本発明の実施の形態にかかる情報提供システムの構成を示す図である。
【図２】本発明の実施の形態にかかる携帯通信端末２０の構成を示すブロック図である。
【図３】本発明の実施の形態にかかる広告データ送受信処理を示す図である。
【符号の説明】
【００４０】
１０：コンテンツサーバ、２０：携帯通信端末、２２：ＣＰＵ、２４：公衆無線回線通信部、２６：メモリ、２８：再生部、３０：入力部、３２：表示部、３４：非公衆無線回線通信部
【図１】
2009181326.tif 000003
【図２】
2009181326.tif 000004
【図３】
2009181326.tif 000005